(57)【要約】【課題】  従来の空気調和機本体では、天井内、天袋及び地袋等の多様な設置場所の点検口に対して、本体の点検口が対応できず、ドレンポンプの点検、修理等のサービス作業が容易に行えないという課題があった。【解決手段】  埋込形空気調和機は、取付けることによって筐体の一部を形成し、また、取り外すことで筐体内のドレンポンプ等を観察可能とする開閉蓋と、ドレンポンプ等の点検口であって、開閉蓋を取り外し形成され、筐体の上方から点検する上面点検口及び筐体の側方から点検する側面点検口と、同じくドレンポンプ等の点検口であって、筐体の底部に設置されたドレンパンを取り外すことにより形成され、筐体の下方から点検する下面点検口とを有する空気調和機本体を備えたものである。【選択図】        図１
2005172366.tif 000002
【特許請求の範囲】
【請求項１】
筐体内に収容され、吸い込んだ空気を温調する熱交換器、空気を吸込み、吹出す送風機、熱交換器の下方のドレンパン及びドレンパンのドレン水を排出するドレンポンプと、
前記筐体の外形面に形成される吸込口及び吹出口と、
取付けることによって前記筐体の一部を形成し、また、取り外すことで前記筐体内の前記ドレンポンプ等を観察可能とする開閉蓋と、
ドレンポンプ等の点検口であって、前記開閉蓋を取り外し形成され、前記筐体の上方から点検する上面点検口及び前記筐体の側方から点検する側面点検口と、
同じくドレンポンプ等の点検口であって、前記筐体の底部に設置されたドレンパンを取り外すことにより形成され、前記筐体の下方から点検する下面点検口と、
を有する空気調和機本体を備えたことを特徴とする埋込形空気調和機。
【請求項２】
筐体内に収容され、吸い込んだ空気を温調する熱交換器、空気を吸込み、吹出す送風機、熱交換器の下方のドレンパン及びドレンパンのドレン水を排出するドレンポンプと、
前記筐体の外形面に形成される吸込口及び吹出口と、
取付けることによって前記筐体の一部を形成し、また、取り外すことで前記筐体内の前記ドレンポンプ等を観察可能とする開閉蓋と、
ドレンポンプ等の点検口であって、前記開閉蓋を取り外し形成され、前記筐体の上方から点検する上面点検口と、
同じくドレンポンプ等の点検口であって、前記筐体の底部に設置されたドレンパンを取り外すことにより形成され、前記筐体の下方から点検する下面点検口と、
を備えた空気調和機本体を有することを特徴とする埋込形空気調和機。
【請求項３】
前記ドレンポンプは前記ドレンパンのドレン水の水位を検知するフロートスイッチを有し、前記ドレンポンプと前記フロートスイッチを第２固定部材に取付け、前記第２固定部材を第１固定部材に着脱可能に固定し、前記第１固定部材を前記筐体の内部部材に着脱可能に固定し、
前記第１固定部材の前記筐体の内部部材に対する着脱操作は、前記上面点検口側及び前記側面点検口側のどちら側からも行うことができ、また、前記第２固定部材の第１固定部材に対する着脱操作は、前記下面点検口から行うことを特徴とする請求項１又は請求項２に記載の埋込形空気調和機。
【請求項４】
前記開閉蓋が、前記筐体の上面及び側面の稜を跨って形成される直交面体からなることを特徴とする請求項１〜請求項３のいずれかの請求項に記載の埋込形空気調和機。
【発明の詳細な説明】
【技術分野】
【０００１】
本発明は、ドレンポンプを備えた埋込形空気調和機に関するものであり、特に、ドレンポンプ等の点検、修理に関するものである。
【背景技術】
【０００２】
従来のドレンポンプを備えた空気調和機本体のドレンポンプ等の点検、修理は、熱交換器とドレンパンとを内蔵した熱交換室とファンを内蔵した送風室とを仕切板で区画し、この仕切板の一部に盲板で閉塞される開口を設け、ドレンポンプを盲板の熱交換室側に固定し、この開口に盲板を着脱することにより、ドレンポンプを熱交換室内に収納したり、熱交換室から取出し、行った（例えば、特許文献１参照。）。
また、ドレンポンプを、空気調和機本体の長手壁に形成された本体点検口をなす点検蓋に一体に設け、点検蓋を外してドレンポンプを本体の外に取り出すことができるようにした（例えば、特許文献２参照。）。
【特許文献１】実開昭６１−１１４２２０号公報（第３頁〜第５頁、図２、図３）
【特許文献２】特開平０７−１９８１５６号公報（第３頁、第４頁、図１、図２）
【発明の開示】
【発明が解決しようとする課題】
【０００３】
従来のこれら空気調和機本体は天井内に設置され、ドレンポンプの点検、修理等のサービス時には、特許文献１では、天井の穴を塞ぐ化粧パネルの通気グリルを開け、この開口から盲板ごとドレンポンプを取り出す。即ち、天井の開口を設置場所の点検口とし、本体の点検口を通気グリルを開け形成するので、サービス作業が容易ではあるが、サービス作業が容易なのは、設置場所の点検口が本体の下方の場合に限定される。
また、特許文献２では、天井面の化粧パネルを取り外し本体内を露出し、本体の点検蓋を外してドレンポンプを外に取り出す。即ち、天井の開口を設置場所の点検口とし、本体の点検口を本体の長手壁の点検蓋を外し形成するので、サービス作業が容易でない。
ところで、埋め込み形の空気調和機は、天井内の他、天袋、地袋等に設置される。そこで、空気調和機本体の設置に伴って設けられる設置場所の点検口は、空気調和機本体の設置位置に対して、様々な方向、位置に設けられる。
従来の空気調和機本体では、これらの多様な設置場所の点検口に対して、本体の点検口が対応できず、ドレンポンプの点検、修理等のサービス作業が容易に行えないという課題があった。
【０００４】
本発明は、上記のよう課題を解決するためになされたもので、第１の目的は空気調和機本体の様々な設置場所に対応する本体の点検口を有し、また、多様な設置場所の点検口に対応する本体の点検口を有し、ドレンポンプ等の点検、修理のサービスを容易に行うことができる空気調和機を得ることである。
【０００５】
また、第２の目的はドレンポンプとフロートスイッチをサービス時に容易に取り外すことができる空気調和機を得るものである。
【課題を解決するための手段】
【０００６】
本発明に係る埋込形空気調和機は、取付けることによって筐体の一部を形成し、また、取り外すことで筐体内のドレンポンプ等を観察可能とする開閉蓋と、ドレンポンプ等の点検口であって、開閉蓋を取り外し形成され、筐体の上方から点検する上面点検口及び筐体の側方から点検する側面点検口と、同じくドレンポンプ等の点検口であって、筐体の底部に設置されたドレンパンを取り外すことにより形成され、筐体の下方から点検する下面点検口とを有する空気調和機本体を備えたものである。
【発明の効果】
【０００７】
本発明の埋込形空気調和機は、ドレンポンプ等の点検口として、筐体の上方から点検する上面点検口、筐体の側方から点検する側面点検口及び筐体の下方から点検する下面点検口とを有する空気調和機本体を備えたので、空気調和機本体を設置する多様な設置場所の点検口に対応する空気調和機本体の点検口を選択でき、この点検口からドレンポンプ等の点検、修理のサービスを容易に行うことができる。
【発明を実施するための最良の形態】
【０００８】
実施の形態１．
図１は、実施の形態１における空気調和機本体を示す断面図であり、図２は、同じく空気調和機本体のサービス用カバーの周辺部を示す要部斜視図であり、サービス用カバーを取り外し、ドレンポンプとフロートスイッチを取付けた第１ポンプステイを取り出した状態を示すものであり、図３は、同じく空気調和機本体の地袋設置を示す側面図であり、図４は、同じく空気調和機本体を天井内、天袋等に埋め込んで設置した場合に本体下面側からドレンポンプを取り外した状態を示す斜視図である。
これらの図において、空気調和機本体１（以下、空気調和機本体１は本体１とも記載する）は、外形がほぼ箱状の筐体であり、筐体内に送風機４、熱交換器５、ドレン水を溜めるドレンパン８、ドレン水を本体外へ排出するドレンポンプ９、ドレンポンプ９とフロートスイッチ１０を一体に固定しているポンプステイ１３ｂ、ポンプステイ１３bを固定しているポンプステイ１３ａ等を収容し、筐体の外形面に吸込口３及び吹出口６を形成し、ドレンパン８から延びるドレン水排出管１１を外部に突出させ、また、筐体の外面の一部に内部のドレンポンプ９等を出し入れする開閉蓋であるサービス用カバー１２が設置され、さらに、筐体の外側に運転を制御する電気品ボックス１９が設置される。ここでドレンパン８は、熱交換器５の下方で、本体１の下部に嵌め込みにより取付けられ、ドレンパン押え１４（筐体の底板を兼ねる）により固定される。
【０００９】
サービス用カバー１２は、空気調和機本体１の筐体の上面の側面寄りの一部から側面の上面寄りの一部まで、両面の稜を跨って形成される直交面体からなる開閉蓋である。このサービス用カバー１２は、筐体に取付けた時は、筐体の一部となり、また、取り外すことにより、上面と側面に開口部を形成する。そして、サービス用カバー１２を取り外すことにより形成される上面の開口部及び側面の開口部は、それぞれ、ドレンポンプ９等の点検を可能とし、また、点検修理のためにドレンポンプ９とフロートスイッチ１０を第１ポンプステイ１３ａとともに取外すのに十分な寸法の開口が得られるよう形成される。即ち、サービス用カバー１２は取り外すことにより、本体の上面点検口及び側面点検口を形成する。サービスカバー１２の本体１への固定は、筐体の上方及び側方から操作可能なように、例えば、サービス用カバー１２の一部（図２の固定部２１）をネジにより本体１に固定する。
当然ながら、サービスカバー１２は、筐体の上面を開口するものと側面を開口するものと二部分に分離してもよい。
【００１０】
ドレンポンプ９とフロートスイッチ１０とは、共に固定部材（第２固定部材）である第２ポンプステイ１３ｂに固定されており、さらに第２ポンプステイ１３ｂが別の固定部材（第１固定部材）である第１ポンプステイ１３ａに固定される。そして、第１ポンプステイ１３ａを本体１（本体１の内部部材）に固定することにより、ドレンポンプ９とフロートスイッチ１０とは、ドレンパン８内に設置される。
第１ポンプステイ１３ａは、例えば、ネジにより本体１に固定するが、サービス用カバー１２を取り外すことにより、本体の上面点検口及び側面点検口のどちらからでもネジの取付け、取り外しが可能なように上方から操作可能な位置にネジで固定される。
また、第２ポンプステイ１３ｂは第１ポンプステイ１３ａの下部に位置し、例えば、ネジにより第１ポンプステイ１３ａに固定するが、本体１の下部のドレンパン８をドレンパン押え１４を外して、取り外すことにより、本体１の下面の開口部が形成され、即ち、本体の下面点検口が形成され、この下面点検口からネジの取付け、取り外しが可能なように下方から操作可能な位置にネジで固定される。
【００１１】
このような空気調和機本体１の設置例として、図３に示すように地袋に設置した場合を説明する。
本体１は、地袋内の台木１５上に設置される。地袋設置の場合は、設置場所の点検口は、本体１の上方の建物の仕切部（質問：名称は適切ですか？）に設置場所の点検口１６を設ける。部屋の空気を吸い込む吸込グリル２は、据付枠１７を介して建物壁面に設置され、また、本体１からの空気を部屋に吹出す吹出グリル７は吹出口６に連接し（図２では上下に設置しているが、左右にスペースがある場合は左右に並置してもよい）、据付枠１８を介して本体１の吹出口６に接続し、同じく建物壁面に設置されている。なお、空気調和機本体１は、いわゆる室内機であり、別に設置（室外等に設置）された圧縮機を有する室外機と冷媒配管で接続され、空気調和機を構成する。
【００１２】
次に動作について説明する。
このような空気調和機本体１においては、電源の投入により、圧縮機が働き、また、本体１の送風機４の運転により部屋の空気を吸込グリル２から吸込み、地袋内の密閉空間で形成する風路により、本体１の吸込口３から本体１に入り、熱交換器５により温調されて、吹出グリル７から部屋に吹出される。また、熱交換器５等からのドレン水は、ドレンパン８に溜まり、ドレンポンプ９により、ドレン水排出管１１により本体１の外部に排出される。
【００１３】
そして、運転中に、ドレン水漏れや、ドレン水詰まり、ドレンポンプ９やフロートスイッチ１０の故障が発生した場合には、設置場所の点検口であり本体１の上方の点検口１６から本体１のサービス用カバー１２の取付けネジを外し、サービス用カバー１２を取り外す。それから、本体の点検口である上面点検口からドレンポンプ９、フロートスイッチ１０の動作確認やドレンパン８等への滞留物の確認等の点検を行う。そして、必要があれば、第１ポンプステイ１３ａの固定ネジを外し、ドレンポンプ９、フロートスイッチ１０及び第２ポンプステイ１３ｂを第１ポンプステイ１３ａに取付けたままで、第１ポンプステイ１３ａごと取り出す。
【００１４】
このように、空気調和機本体１を地袋に設置した場合は、設置場所の点検口１６（仕切部に開口を設け、開閉可能な蓋等を設置）として、本体１の上方の建物の仕切部が選択される場合が多いが、本体の点検口としての上面点検口により、ドレンポンプ９等の点検、修理を行うので、点検修理のサービス作業を容易に行うことができる。
この際、ドレンパン８を取り外すことなくドレンポンプ９とフロートスイッチ１０の動作、状況確認が上方から目視にてできる利点もある。
また、開閉カバー１２を外すとドレンポンプ９とフロートスイッチ１０をポンプステイ１３ａで合せて取り外すことができる点でもサービス時における作業を容易にしている。
【００１５】
また、地袋設置の場合、建物壁面が左右方向に余裕があり吸込グリル２と吹出グリル７を横並びに設置した場合等には、本体１の上方の建物の仕切部に設ける設置場所の点検口１６を、本体１の真上ではなく、左右方向で吸込グリル２側に設け、本体の点検口として側面から点検する側面点検口とすることもできる。この場合も上記と同様な効果が得られる。
このように、本体の点検口は、サービス用カバー１２を取り外せば、設置場所の点検口に対応して、上面点検口、側面点検口のどちらでも使用できるので便利である。
【００１６】
次に、空気調和機本体１を天袋に設置する場合を説明する。
天袋設置も吸込グリル２、吹出グリル７、本体１等の設置関係は、地袋設置の場合と同様であるが、点検口が異なる。
設置場所の点検口を、天袋内で、本体１を設置している建物の仕切部に設けた場合の本体の点検口は、設置場所の点検口が本体１の直下であるか、本体１から離れているかにより、それぞれ、下面点検口、側面点検口を使用する。このように天袋設置の場合も、設置場所の点検口に応じて、本体の点検口を選択でき、同様に点検、修理のサービス作業が容易となる。
【００１７】
次に、空気調和機本体１を天井内に設置する場合を説明する。
天井内に本体１を設置し、本体１の直下の天井板の開口部に部屋の空気を吸い込む吸込パネル等設置した場合は、この吸込パネルを取り外して、設置場所の点検口とする。そして、本体の点検口としては、下面点検口を使用する。
また、本体直下から少し離れた天井面に設置場所の点検口を設けて、本体の点検口を側面点検口を使用してもよい。
これらいずれの場合も、同様に点検、修理のサービス作業が容易となる。
【００１８】
本実施の形態の空気調和機本体１は、本体の点検口として、上面点検口、側面点検口及び下面点検口を有するが、側面点検口はなくてもよく、上面点検口及び下面点検口を有すれば、天井内、天袋及び地袋に設置において、ほとんどの場合、多様な設置場所の点検口に対応できる本体の点検口を選定でき、同様に点検、修理のサービス作業が容易となる。
【００１９】
本実施の形態の空気調和機本体１においては、取付けることによって筐体の一部を形成し、また、取り外すことで筐体内のドレンポンプ９等を観察可能とする開閉蓋と、ドレンポンプ９等の点検口であって、開閉蓋であるサービスカバー１２を取り外し形成され、筐体の上方から点検する上面点検口と、筐体の底部に設置されたドレンパン８を取り外すことにより形成され、筐体の下方から点検する下面点検口とを備えたので、多様な設置場所の点検口に対応できる本体の点検口を選定でき、同様に点検、修理のサービス作業が容易となる。
【００２０】
また、本実施の形態の空気調和機本体１においては、ドレンポンプ９はドレンパン８のドレン水の水位を検知するフロートスイッチ１０を有し、ドレンポンプ９とフロートスイッチ１０を第２固定部材である第２ポンプステイ１３ｂに取付け、第２固定部材１３ｂを第１固定部材である第１ポンプステイ１３ａに着脱可能に固定し、第１固定部材１３ａを筐体の内部部材に着脱可能に固定し、第１固定部材１３ａの筐体の内部部材に対する着脱操作は、上面点検口側及び側面点検口側のどちら側からも可能とし、また、第２固定部材１３ｂの第１固定部材１３ａに対する着脱操作は、下面点検口から行うことができるので、上面点検口または側面点検口から点検、修理を行う場合は、ドレンポンプ９とフロートスイッチ１０を取付けた第２固定部材１３ｂを固定した第１固定部材１３ａを取り外すことができ、また、下面点検口から点検、修理を行う場合は、ドレンポンプ９とフロートスイッチ１０を取付けた第２固定部材１３ｂを取り外すことができ、即ち、いずれの場合もドレンポンプ９とフロートスイッチ１０を同時に取り外すことができ、取り外しが容易となる。
【００２１】
また、本実施の形態の空気調和機本体１においては、開閉蓋が、筐体の上面及び側面の稜を跨って形成される直交面体からなるので、上面点検口または側面点検口から点検、修理を行う場合、点検口が大きくなり、点検する場合、点検修理のためドレンポンプ９とフロートスイッチ１０を取り出すのが容易となる。
【産業上の利用可能性】
【００２２】
本体の点検口として、上面点検口、側面点検口及び下面点検口を持った空気調和機本体１は、天井内、天袋、地袋等に設置される埋込形空気調和機として利用される。
【図面の簡単な説明】
【００２３】
【図１】本発明の実施の形態１における空気調和機本体を示す断面図である。
【図２】本発明の実施の形態１における空気調和機本体のサービス用カバー周辺部を示す要部斜視図である。
【図３】本発明の実施の形態１における空気調和機本体を地袋に設置した状態を示す上面図である。
【図４】本発明の実施の形態１における空気調和機本体を天井内、天袋等に埋め込んで設置した場合に本体下面側からドレンポンプを取り外した状態を示す斜視図である。
【符号の説明】
【００２４】
１  空気調和機本体、３  吸込口、４  送風機、５  熱交換器、６  吹出口、８  ドレンパン、９  ドレンポンプ、１０  フロートスイッチ、１２  開閉蓋、１３ａ  第１固定部材、１３ｂ  第２固定部材。
【図１】
2005172366.tif 000003
【図２】
2005172366.tif 000004
【図３】
2005172366.tif 000005
【図４】
2005172366.tif 000006